(57)【特許請求の範囲】
【請求項１】
薄板状のメモリカードを受け容れるカード受容部が形成されたケースと、
メモリカードの端子と接触する接触端子が固定されたコンタクトブロックと、
前記コンタクトブロックに回動可能に支持され、前記カード受容部内でのメモリカードの進退動作に連動する可動アームと、
を備え、前記可動アームの動作に応じて回路の開閉を切り替えることにより、前記カード受容部におけるメモリカードの挿入状態を検知するメモリカード検知機能を備えたメモリカード保持構造において、
前記可動アームは、メモリカード側に当接するメインアーム部と、回動軸心に対して当該メインアーム部の反対側となるサブアーム部と、を備えるとともに、前記コンタクトブロックの奥壁部に、当該メインアーム部が前記カード受容部内で入口側に位置する状態と奥側に位置する状態との間で回動可能となるように支持され、
導体線材からなるトーションスプリングが前記可動アームの回動軸心回りに巻回されるとともに、当該トーションスプリングの一端部が前記コンタクトブロックに設けられた第一の固定接点によって係止される一方、当該トーションスプリングの他端部が前記サブアーム部によって係止されることで、当該可動アームが当該トーションスプリングによって当該メインアーム部を入口側に向かわせる回動方向に付勢されるようにし、
前記トーションスプリングの他端部が前記サブアーム部とともに回動して前記コンタクトブロックに設けられた第二の固定接点との接離状態が変化することで、前記第一の固定接点、トーションスプリング、および第二の固定接点を含む回路の開閉が切り替わるように構成すると共に、
前記メインアーム部が入口側に位置する状態で、前記トーションスプリングの他端部は前記第二の固定接点に係止され、かつ前記サブアーム部によっては係止されないようにし、
メインアーム部が奥側に移動することで、前記サブアーム部によって係止されて押圧された前記トーションスプリングの他端部が第二の固定接点から離間するように構成したことを特徴とするメモリカード保持構造。
【請求項２】
前記サブアーム部に、メインアーム部が入口側に位置する状態でコンタクトブロックに当接する当接部を設けたことを特徴とする請求項１に記載のメモリカード保持構造。
【請求項３】
前記ケースは、メモリカードの表裏両側にそれぞれ配設される板状部材を有し、
前記可動アームを、前記コンタクトブロックと前記表裏両側の板状部材のうちいずれか一方とによって回動可能に支持するように構成したことを特徴とする請求項１または２に記載のメモリカード保持構造。
【請求項４】
前記第二の固定接点に、前記トーションスプリングの他端部を係止する係止凹部を設けたことを特徴とする請求項１〜３のうちいずれか一つに記載のメモリカード保持構造。
【請求項５】
前記係止凹部の最深部と前記トーションスプリングの他端部とを前記可動アームの回動軸心に沿った方向にずらして配置するとともに、
前記係止凹部に、メモリカードの挿入に伴って前記可動アームが回動するときに当該トーションスプリングの他端部を当該係止凹部の最深部に向けて沿わせて移動させる傾斜面を形成したことを特徴とする請求項４に記載のメモリカード保持構造。
【発明の詳細な説明】
【技術分野】
【０００１】
本発明は、カード状の小型記憶媒体としてのメモリカードを保持するメモリカード保持構造に関する。
【背景技術】
【０００２】
近年では、ディジタルカメラや携帯電話等の種々の電子機器において、ミニＳＤメモリカード（登録商標）等の小型記憶媒体（以下、メモリカードと称する）を挿抜可能に装着するためのメモリカード保持構造を装備したものが増加しつつある。
【０００３】
この種のメモリカード保持構造では、メモリカードが挿入（装着）されているか否かを電気的に検知するメモリカード検知機構を備えたものが知られている（例えば、特許文献１）。
【０００４】
この特許文献１に開示されるメモリカード保持構造では、メモリカードの挿入に伴って固定接点に押し付けられる可動バネ片が設けられており、この可動バネ片と固定接点との接離による回路の開閉によって、メモリカードの有無が電気的に検知される。可動バネ片は、メモリカードの側面（幅方向端面）に当接し、当該メモリカードの幅方向に沿って移動するようになっている。
【特許文献１】特開２００４−３４９２２３号公報
【発明の開示】
【発明が解決しようとする課題】
【０００５】
かかる構成の可動バネ片は、ミニＳＤメモリカード（登録商標）程度のサイズについては、機能を満足すべく十分な付勢力（接点離反力）を与えることができるように構成するのは比較的容易であるが、さらに小さなサイズのメモリカードに対応するメモリカード保持構造では、可動バネ片も小型化せざるを得ず、十分な付勢力を与えることができるように構成するのが難しくなってしまうという問題があった。
【０００６】
また、上記特許文献１のように、可動バネ片がメモリカードの幅方向に沿って移動する方式では、可動バネ片のストロークを、メモリカードの幅方向の寸法公差を許容するように、すなわち当該寸法公差より大きく設定する必要があるが、さらに小さなサイズのメモリカードに対応するメモリカード保持構造では、より小さな可動バネ片で、この寸法公差を許容するストロークを確保するのが難しくなってしまうという問題があった。
【０００７】
そこで、本発明は、より小型のメモリカードに対してもより確実に機能を発揮することができるメモリカード検知機構を備えたメモリカード保持構造を得ることを目的とする。
【課題を解決するための手段】
【０００８】
請求項１の発明にあっては、薄板状のメモリカードを受け容れるカード受容部が形成されたケースと、メモリカードの端子と接触する接触端子が固定されたコンタクトブロックと、上記コンタクトブロックに回動可能に支持され、上記カード受容部内でのメモリカードの進退動作に連動する可動アームと、を備え、上記可動アームの動作に応じて回路の開閉を切り替えることにより、上記カード受容部におけるメモリカードの挿入状態を検知するメモリカード検知機能を備えたメモリカード保持構造において、上記可動アームは、メモリカード側に当接するメインアーム部と、回動軸心に対して当該メインアーム部の反対側となるサブアーム部と、を備えるとともに、上記コンタクトブロックの奥壁部に、当該メインアーム部が上記カード受容部内で入口側に位置する状態と奥側に位置する状態との間で回動可能となるように支持され、導体線材からなるトーションスプリングが上記可動アームの回動軸心回りに巻回されるとともに、当該トーションスプリングの一端部が上記コンタクトブロックに設けられた第一の固定接点によって係止される一方、当該トーションスプリングの他端部が上記サブアーム部によって係止されることで、当該可動アームが当該トーションスプリングによって当該メインアーム部を入口側に向かわせる回動方向に付勢されるようにし、上記トーションスプリングの他端部が上記サブアーム部とともに回動して上記コンタクトブロックに設けられた第二の固定接点との接離状態が変化することで、上記第一の固定接点、トーションスプリング、および第二の固定接点を含む回路の開閉が切り替わるように構成すると共に、前記メインアーム部が入口側に位置する状態で、前記トーションスプリングの他端部は前記第二の固定接点に係止され、かつ前記サブアーム部によっては係止されないようにし、メインアーム部が奥側に移動することで、前記サブアーム部によって係止されて押圧された前記トーションスプリングの他端部が第二の固定接点から離間するように構成したことを特徴とする。
【００１０】
請求項２の発明にあっては、上記サブアーム部に、メインアーム部が入口側に位置する状態でコンタクトブロックに当接する当接部を設けたことを特徴とする。
【００１１】
請求項３の発明にあっては、上記ケースは、メモリカードの表裏両側にそれぞれ配設される板状部材を有し、上記可動アームを、上記コンタクトブロックと上記表裏両側の板状部材のうちいずれか一方とによって回動可能に支持するようにしたことを特徴とする。
【００１２】
請求項４の発明にあっては、上記第二の固定接点に、上記トーションスプリングの他端部を係止する係止凹部を設けたことを特徴とする。
【００１３】
請求項５の発明にあっては、上記係止凹部の最深部と上記トーションスプリングの他端部とを上記可動アームの回動軸心に沿った方向にずらして配置するとともに、上記係止凹部に、メモリカードの挿入に伴って上記可動アームが回動するときに当該トーションスプリングの他端部を当該係止凹部の最深部に向けて沿わせて移動させる傾斜面を形成したことを特徴とする。
【発明の効果】
【００１４】
請求項１の発明によれば、トーションスプリングによって、可動アームひいてはメモリカード２０に対し、比較的小さな占有スペースでより大きな付勢力を与える可動アームを得ることができる。
【００１５】
また、可動アームをカード受容部の奥側に設け、メモリカードの進退に応じて上記メインアーム部を入口側の位置と奥側の位置との間で回動させるようにしたため、メモリカードの幅方向の寸法公差より小さな奥行き方向（メモリカードの進退方向）の寸法公差に対応すればよく、より小さなサイズのメモリカード用のメモリカード保持構造に対してより容易に適用できるようになる。
【００１６】
さらに、可動アームの付勢手段および可動接点として機能するトーションスプリングを上記サブアーム部に係止するようにして、メモリカードに当接するメインアーム部に対して、トーションスプリングを係止したり可動接点の支持部として利用するための機能を持たせる必要がなくなる分、当該メインアーム部、ひいては可動アームやその周辺構造の大型化や複雑化を抑制することができる。
【００１７】
請求項１の発明によれば、上記メインアーム部が入口側に位置する状態で、トーションスプリングがサブアーム部によって係止されないようにするとともに、当該トーションスプリングを第一の固定接点と第二の固定接点とで係止できるようにしたため、トーションスプリングの付勢力が可動アームに作用しない状態で当該可動アームを容易に取り付けることができるようになる。
【００１８】
請求項２の発明によれば、上記当接部をコンタクトブロックに当接させることで、可動アーム装着時の位置決めをより容易にかつより確実に行うことができる。
【００１９】
請求項３の発明によれば、可動アームをその回動軸の両端側で軸支することができるため、可動アームの姿勢をより安定化させることができ、より確実な動作を得ることができる。
【００２０】
請求項４の発明によれば、上記トーションスプリングの他端部を上記第二の固定接点により確実に係止することができるようになる。
【００２１】
請求項５の発明によれば、第二の固定接点に対して接離するトーションスプリングの他端部によって、当該第二の固定接点の当該トーションスプリングとの接触部に付着した塵芥や汚れを払拭することができ、接触信頼性を高めることができる。
【発明を実施するための最良の形態】
【００２２】
以下、本発明の実施形態について図面を参照しながら詳細に説明する。図１は、本実施形態にかかるメモリカード保持構造の斜視図、図２は、メモリカード保持構造の斜視図であって、メモリカードが装着された状態を示す図、図３は、メモリカード保持構造の分解斜視図、図４は、メモリカード保持構造のシェルカバーを外した状態での平面図であって、メモリカードが装着される前の状態を示す図、図５は、メモリカード保持構造のシェルカバーを外した状態での平面図であって、メモリカードが装着された状態を示す図、図６は、メモリカード保持構造のメモリカード検知機構の分解斜視図、図７は、メモリカード検知機構の可動アームを示す図であって、（ａ）はカバーシェル側から見た平面図、（ｂ）はカード受容部の開口側から見た側面図、（ｃ）はベースシェル側から見た平面図、（ｄ）はカード受容部の幅方向から見た側面図、図８は、メモリカード検知機構の要部の平面図であって、（ａ）は可動アームが入口側位置にある状態を示す図、（ｂ）は可動アームが奥側位置にある状態を示す図、図９は、メモリカード検知機構の要部の側面図（図８のＡ−Ａ断面図）、図１０は、メモリカード検知機構のトーションスプリングと第二の固定接点との接触状態を示す説明図、図１１は、シェルカバーのメモリカード検知機構が形成される部分の平面図である。
【００２３】
本実施形態にかかるメモリカード保持構造１は、電子機器等（図示せず）に装備され、メモリカード２０を挿抜可能に装着するためのソケットとして機能するものである。装着状態では、メモリカード２０の表面または裏面に露出形成された電極（図示せず）と、メモリカード保持構造１に設けられた接触端子６ｃとが接触して導通し、電子機器等とメモリカード２０との間でデータの授受が可能となる。
【００２４】
また、このメモリカード保持構造１は、メモリカード２０を開口（入口）１ｂから凹部１ａ内に挿入して押し込むことで当該メモリカード２０が所定の装着状態でロックされ、再度押し込むことでロックが解除されてメモリカード２０が凹部１ａの開口１ｂから飛び出す、いわゆるプッシュオン・プッシュオフ機能を備えたものとして構成されている。
【００２５】
このメモリカード保持構造１は、基本的には、一側面（前面）に細長い帯状の開口１ｂが形成された扁平な角筒状に構成されたケース２と、ケース２の凹部１ａ内で開口１ｂ側と奥側との間で進退可能に支持されるスライダ５と、スライダ５を凹部１ａ内で開口１ｂ側に付勢する付勢機構としてのコイルスプリング８と、ケース２の凹部１ａの奥側に設けられたコンタクトブロック６と、を備えて構成されている。
【００２６】
ケース２は、ステンレススチール等の導電性を有しかつ熱伝導性の良好な金属薄板を適宜に成形したベースシェル３とカバーシェル４とを結合して構成されている。
【００２７】
ベースシェル３は、略正方形状の基底壁部３ａの相互に対向する一対の端辺を略直角に折り曲げて、略一定高さの帯状の側壁部３ｂ，３ｂを立設したものである。そして、一つの側壁部３ｂの開口１ｂ側の角部には、幅方向内側に張り出すストッパ３ｅが形成されており、これにより、スライダ５が開口１ｂから脱落するのが抑制されている。なお、基底壁部３ａには、コンタクトブロック６を係着するための爪部３ｃや、スライダ５をガイドすべくメモリカード２０の進退方向に沿って伸びる突条３ｄ等が設けられている。
【００２８】
一方、カバーシェル４は、板状部材を略正方形状に適宜に成形してなるものであり、基底壁部４ａの複数箇所が適宜な形状に打ち抜かれて、メモリカード２０を比較的軽い力で押さえるためのバネ構造体４ｂ，４ｂや、後述するピン９を比較的軽い力で押さえるためのバネ構造体４ｃ等が成形されている。
【００２９】
そして、これらベースシェル３とカバーシェル４とを、レーザ溶接等によって略角筒形状に結合し、当該角筒形状の一方の開口をコンタクトブロック６で塞ぐようにして、ケース２内に、扁平な有底角筒状の凹部１ａが形成される。メモリカード２０は、この凹部１ａ内に収容される。すなわち、本実施形態では、この凹部１ａがカード受容部に相当する。
【００３０】
スライダ５は、ベースシェル３上に設けた突条３ｄと当該突条３ｄに対応してスライダ５に設けた凹部（図示せず）との係合によって、凹部１ａの幅方向一方側の端縁（ベースシェル３の一つの側壁部３ｂ）に沿って進退案内されている。また、このスライダ５には、メモリカード２０の一側縁の凹凸形状に適合する凹部５ａが形成されるとともに、メモリカード２０に形成された切欠２０ａと係合する突起５ｂが形成されている。よって、メモリカード２０を凹部１ａ内に所定の姿勢で挿入すると、メモリカード２０が凹部５ａに突き当たるとともに切欠２０ａと突起５ｂとが係合し、以て、メモリカード２０がスライダ５に保持された状態で凹部１ａ内を進退可能となる。
【００３１】
そして、その一端部をコンタクトブロック６に回動可能に支持したピン９と、当該ピン９の他端部を所定経路で案内する溝部７と、スライダ５とコンタクトブロック６との間に介装されてスライダ５を開口１ｂ側に付勢するコイルスプリング８と、によって、スライダ５の凹部１ａ内での位置が制御される。すなわち、溝部７の底面に適宜な段差を設けるとともに、ピン９の開口１ｂ側の端部を、コイルスプリング８の付勢力あるいはメモリカード２０の押し込み力によって溝部７の側壁に突き当てるとともに、カバーシェル４に設けたバネ構造体４ｃによって溝部７の底壁に突き当てることで、当該ピン９の開口１ｂ側の端部を、少なくともある区間では逆行させず規定された順方向に案内する経路が形成されている。そして、この溝部７の開口１ｂ側の一部を平面視で略ハート形にして所謂ハートカム機構を形成することができ、上述したメモリカード２０のプッシュオン・プッシュオフ機能を具現化することができる。
【００３２】
コンタクトブロック６は、絶縁性樹脂を平面視で略Ｌ字状に成形した奥壁部６ａと側壁部６ｂとを備えており、当該奥壁部６ａを凹部１ａの奥側に配し、かつ側壁部６ｂを凹部１ａの一方の側端縁（スライダ５が配置されない側の端縁）に沿って配した姿勢で、ベースシェル３に固定される。なお、この固定には、ベースシェル３に設けた爪部３ｃが用いられる。
【００３３】
奥壁部６ａには、導電性金属からなる複数の棒状の接触端子６ｃが貫通しており、これら接触端子６ｃは、メモリカード２０が凹部１ａの奥側の所定位置に装着されたときに、メモリカード２０の表面に形成された電極（図示せず）に接触する。この接触端子６ｃを通じて、メモリカード保持構造１が装備される電子機器（図示せず）とメモリカード２０との間で種々のデータの授受が行われる。ただし、後述するように、メモリカード２０の検知に用いられるなど、一部、メモリカード２０の電極に接触しない接触端子６ｃも設定される。なお、接触端子６ｃは、インサート成形によって奥壁部６ａに固定してもよいし、奥壁部６ａに設けた小孔に嵌挿して固定してもよい。
【００３４】
また、この奥壁部６ａには、棒状の可動アーム１０が回動可能に支持されている。そして、この可動アーム１０（のメインアーム部１０ａ）は、当該可動アーム１０の回動軸心まわりに巻回されるトーションスプリング１１によって開口１ｂ側に付勢されるとともに、メモリカード２０の先端部によって凹部１ａの奥側に押し込まれるようになっている。よって、図４に示すように、メモリカード２０が凹部１ａの奥側の装着位置まで挿入されていない状態では、可動アーム１０は開口１ｂ側に位置し、図５に示すように、メモリカード２０が凹部１ａの奥側の装着位置まで挿入された状態では、可動アーム１０は凹部１ａの奥側に位置することになる。つまり、この可動アーム１０は、メモリカード２０の進退に伴って、図４に示す開口１ｂ側の位置と、図５に示す奥側の位置との間で回動する。なお、ハートカム機構の特性上、メモリカード２０が装着された状態では、可動アーム１０やスライダ５は、凹部１ａの最も奥側より若干開口１ｂ側に戻された状態で配置されることになる。
【００３５】
可動アーム１０は、その回動軸の両端側で、メモリカード保持構造１の固定部（ケース２やコンタクトブロック６等）に軸支されている。すなわち、図６に示すように、奥壁部６ａに形成した凹部６ｄの底面６ｅ上に略円柱状の突起６ｆが突設し、当該突起６ｆの先端部を可動アーム１０に設けた凹部１０ｅ（図７の（ｂ）および（ｃ））に挿入する一方、当該凹部１０ｅの他端側に略円柱状の突起１０ｆを設け、この突起１０ｆを、カバーシェル４の奥側の端縁４ｄに形成した略Ｕ字状の切欠４ｅの奥側に緩挿させている。なお、図１１に示すように、切欠４ｅの開放側はコンタクトブロック６の奥壁部６ａによって塞がれており、突起１０ｆ、ひいては可動アーム１０が切欠４ｅの開放側に脱落するのが抑制されている。
【００３６】
また、可動アーム１０は、メモリカード２０に当接するメインアーム部１０ａを備える一方、可動アーム１０の回動軸心Ｍに対して当該メインアーム部１０ａの反対側に、サブアーム部１０ｂを備えている。このサブアーム部１０ｂには、トーションスプリング１１の一方側の端部１１ｃを係止する係止壁部１０ｄが設けられている。
【００３７】
一方、トーションスプリング１１は、コンタクトブロック６の突起６ｆに巻回されるとともに、この巻回部１１ａの底面６ｅ側の端部１１ｂが、奥壁部６ａに固定した第一の固定接点１２（接触端子６ｃ）の凹部１ａ側の突出部１２ａに形成した凹部１２ｂに係止される一方、底面６ｅと反対側の端部１１ｃが、可動アーム１０のサブアーム部１０ｂに設けた係止壁部１０ｄに係止される。この係止壁部１０ｄは、トーションスプリング１１の端部１１ｂによって、サブアーム部１０ｂを凹部１ａの奥側に押し込む回動方向（図４や図８の反時計回り方向）に付勢する。したがって、メインアーム部１０ａは、トーションスプリング１１によって、メモリカード２０の先端を押圧する方向、すなわち開口１ｂ側に向けて付勢されることになる。
【００３８】
また、底面６ｅと反対側の端部１１ｃは、サブアーム部１０ｂの外側まで伸びており、第二の固定接点１３（接触端子６ｃ）の凹部１ａ側の突出部１３ａに形成した係止凹部１３ｂに係止されている。
【００３９】
このトーションスプリング１１は、鉄系材料等の導体線材で形成されているため、その両側の端部１１ｂ，１１ｃが二つの固定接点１２，１３にそれぞれ接触すると、第一の固定接点１２と第二の固定接点１３とが、トーションスプリング１１を介して電気的に接続されることになる。
【００４０】
ここで、図８の（ａ）に示すように、可動アーム１０のメインアーム部１０ａが開口１ｂ側に位置する状態、すなわち、メインアーム部１０ａが図中反時計回り方向の先方側に位置する状態では、係止壁部１０ｄの当接面１０ｇと端部１１ｃとの間に隙間Ｇが形成され、トーションスプリング１１の端部１１ｃからサブアーム部１０ｂには回動方向の付勢力が作用しないようにしてある。
【００４１】
かかる隙間Ｇは、サブアーム部１０ｂの奥壁部６ａ側の角部を切り落として、奥壁部６ａの壁面６ｇに当接する傾斜面１０ｃを形成し、平面視で、当該壁面６ｇと傾斜面１０ｃとが相互に当接する状態（すなわち図８の（ａ）に示す状態）における当接面１０ｇと壁面６ｇとの角度と、第二の固定接点１３の突出部１３ａおよび係止凹部１３ｂの配置と、を適宜に調整することで実現可能であることは、容易に理解できよう。なお、本実施形態では、この傾斜面１０ｃが、コンタクトブロック６に当接する当接部に相当する。
【００４２】
一方、図８の（ｂ）に示すように、メモリカード２０によって可動アーム１０が凹部１ａの奥側に押し込まれると、サブアーム部１０ｂが時計回り方向に回動し、係止壁部１０ｄとトーションスプリング１１の端部１１ｃとの係合によって、トーションスプリング１１の端部１１ｃは、図中時計回り方向に回動する。これにより、端部１１ｃは、第二の固定接点１３から離間し、以て、第一の固定接点１２と第二の固定接点１３とが、電気的に遮断されることになる。
【００４３】
よって、上記構成によれば、トーションスプリング１１を可動接点として利用することで、メモリカード２０が凹部１ａの奥側に位置する状態を、第一および第二の固定接点１２，１３が導通していない状態として検知することができ、メモリカード２０が凹部１ａの奥側に挿入されていない状態を、第一および第二の固定接点１２，１３が導通している状態として検知することができる。したがって、第一および第二の固定接点に電池等の電源の正極側および負極側を接続して検知回路を構成し、当該検知回路の導通の有無によって、メモリカード２０の凹部１ａ内における挿入状態を検知することができる。
【００４４】
さらに、図９および図１０に示すように、本実施形態では、第二の固定接点１３に設けた係止凹部１３ｂの最深部とトーションスプリング１１の端部１１ｃとを回動軸心Ｍに沿った方向、すなわち凹部１ａの厚み方向に、距離δだけずらして配置するとともに、当該係止凹部１３ｂに、メモリカードの挿入に伴って可動アーム１０が回動するときに端部１１ｃを係止凹部１３ｂの最深部に向けて沿わせて移動させる傾斜面１３ｃを形成している。メモリカード２０が凹部１ａの奥側に進入すると、これに伴って可動アーム１０が回動し、さらに突出部１３ａから離間していた端部１１ｃが突出部１３ａに近接して接触することになるが、この場合に、端部１１ｃは、係止凹部１３ｂの傾斜面１３ｃに突き当たり、その最深部に向けて当該傾斜面１３ｃ上を摺動することになる。
【００４５】
さらに、本実施形態では、係止凹部１３ｂの最深部を、突起６ｆの先端側の巻回部１１ａの端部１１ｃよりも、当該突起６ｆの根元側に近い位置に設定し、端部１１ｃが係止凹部１３ｂによって係止された状態で、トーションスプリング１１に、突起６ｆの根元側に向けた力が作用するようにしてある。
【００４６】
以上の本実施形態によれば、トーションスプリング１１によって、可動アーム１０ひいてはメモリカード２０に対し、比較的小さな占有スペースでより大きな付勢力を与えることができる。
【００４７】
また、可動アーム１０を凹部１ａの奥側に設け、メモリカード２０の進退に応じてメインアーム部１０ａを開口１ｂ側の位置と奥側の位置との間で回動させるようにしたため、メモリカード２０の幅方向の寸法公差より小さな奥行き方向（メモリカード２０の進退方向）の寸法公差に対応すればよく、より小さなサイズのメモリカード２０用のメモリカード保持構造１に対してより容易に適用できるようになる。
【００４８】
さらに、可動アーム１０の付勢手段および可動接点として機能するトーションスプリング１１をサブアーム部１０ｂに係止するようにして、メモリカード２０に当接するメインアーム部１０ａに対して、トーションスプリング１１を係止したり可動接点の支持部として利用するための機能を持たせる必要がなくなる分、当該メインアーム部１０ａ、ひいては可動アーム１０やその周辺構造の大型化や複雑化を抑制することができる。
【００４９】
また、本実施形態によれば、メインアーム部１０ａが開口１ｂ側に位置する状態（図８の（ａ））で、端部１１ｂとサブアーム部１０ｂの当接面１０ｇとの間に隙間Ｇが形成され、トーションスプリング１１がサブアーム部１０ｂによって係止されないようにするとともに、トーションスプリング１１を第一の固定接点１２と第二の固定接点１３とによって係止できるようにしたため、トーションスプリング１１による付勢力が可動アーム１０に作用しない状態で当該可動アーム１０を容易に取り付けることができるようになる。
【００５０】
また、本実施形態によれば、サブアーム部１０ｂに形成した傾斜面１０ｃをコンタクトブロック６の壁面６ｇに当接させることで、可動アーム１０を取り付ける際の位置決めをより容易にかつより確実に行うことができる。
【００５１】
また、本実施形態によれば、可動アーム１０をその回動軸心Ｍの両端側で軸支することができるため、可動アーム１０の姿勢をより安定化させることができ、より確実な動作を得ることができる。
【００５２】
また、本実施形態によれば、第二の固定接点１３に係止凹部１３ｂを設けたため、トーションスプリング１１の端部１１ｃを第二の固定接点１３に、より確実に係止し、トーションスプリング１１や、可動アーム１０が突起６ｆの先端側から脱出するのを抑制することができる。
【００５３】
また、本実施形態によれば、第二の固定接点１３に対して接離する端部１１ｃによって、当該第二の固定接点１３の係止凹部１３ｂに付着した塵芥や汚れを払拭することができ、接触信頼性を高めることができる。
【００５４】
また、本実施形態によれば、係止凹部１３ｂの最深部を、突起６ｆの先端側の巻回部１１ａの端部１１ｃよりも、当該突起６ｆの根元側に近い位置に設定し、端部１１ｃが係止凹部１３ｂによって係止された状態で、トーションスプリング１１に、突起６ｆの根元側に向けた力が作用するようにしたため、トーションスプリング１１や、可動アーム１０が突起６ｆの先端側から脱出するのをより一層確実に抑制することができる。
【００５５】
以上、本発明の好適な実施形態について説明したが、本発明は上記実施形態には限定されず、種々の変形が可能である。
【００５６】
例えば、上記実施形態では、メモリカードが直接可動アームを押し込む構成を開示したが、スライダによって押し込まれる等、メモリカードの進入に伴って間接的に可動アームを回動させるようにしてもよい。
【００５７】
また、スライダを、メモリカードのより広い範囲で当接あるいは保持するように構成してもよいし、スライダひいてはメモリカードのカード受容部における位置を決定付ける溝部や、ピン、スプリング等の構成や配置も、適宜に変更可能である。
【図面の簡単な説明】
【００５８】
【図１】本発明の実施形態にかかるメモリカード保持構造の斜視図。
【図２】本発明の実施形態にかかるメモリカード保持構造の斜視図であって、メモリカードが装着された状態を示す図。
【図３】本発明の実施形態にかかるメモリカード保持構造の分解斜視図。
【図４】本発明の実施形態にかかるメモリカード保持構造のシェルカバーを外した状態での平面図であって、メモリカードが装着される前の状態を示す図。
【図５】本発明の実施形態にかかるメモリカード保持構造のシェルカバーを外した状態での平面図であって、メモリカードが装着された状態を示す図。
【図６】本発明の実施形態にかかるメモリカード保持構造のメモリカード検知機構の分解斜視図。
【図７】本発明の実施形態にかかるメモリカード保持構造に含まれるメモリカード検知機構の可動アームを示す図であって、（ａ）はカバーシェル側から見た平面図、（ｂ）はカード受容部の開口側から見た側面図、（ｃ）はベースシェル側から見た平面図、（ｄ）はカード受容部の幅方向から見た側面図。
【図８】本発明の実施形態にかかるメモリカード保持構造に含まれるメモリカード検知機構の要部の平面図であって、（ａ）は可動アームが入口側位置にある状態を示す図、（ｂ）は可動アームが奥側位置にある状態を示す図。
【図９】本発明の実施形態にかかるメモリカード保持構造に含まれるメモリカード検知機構の要部の側面図。
【図１０】本発明の実施形態にかかるメモリカード保持構造に含まれるメモリカード検知機構のトーションスプリングと第二の固定接点との接触状態を示す説明図。
【図１１】本発明の実施形態にかかるメモリカード保持構造に含まれるシェルカバーのメモリカード検知機構が形成される部分の平面図。
【符号の説明】
【００５９】
１  メモリカード保持構造
１ａ  凹部（カード受容部）
１ｂ  開口（入口）
２  ケース
３  ベースシェル（板状部材）
４  カバーシェル（板状部材）
６  コンタクトブロック
６ａ  奥壁部
６ｃ  接触端子
１０  可動アーム
１０ａ  メインアーム部
１０ｂ  サブアーム部
１０ｃ  傾斜面（当接部）
１１  トーションスプリング
１１ｂ  端部（トーションスプリングの一端部）
１１ｃ  端部（トーションスプリングの他端部）
１２  第一の固定接点
１３  第二の固定接点
１３ｂ  係止凹部
１３ｃ  傾斜面
２０  メモリカード
Ｍ  回動軸心
【図１】
0004539497.tif 000002
【図２】
0004539497.tif 000003
【図３】
0004539497.tif 000004
【図４】
0004539497.tif 000005
【図５】
0004539497.tif 000006
【図６】
0004539497.tif 000007
【図７】
0004539497.tif 000008
【図８】
0004539497.tif 000009
【図９】
0004539497.tif 000010
【図１０】
0004539497.tif 000011
【図１１】
0004539497.tif 000012